(57)【要約】【課題】電力の浪費を防止しつつも、通常電力モードへの復帰が使用環境の明るさに関係なく良好に行える操作性に優れた携帯情報端末を提供する。【解決手段】省電力モードと通常電力モードとを有する携帯情報端末（１）であって、携帯情報端末（１）に物体が近接状態であることを検出する近接センサ（１４）と、携帯情報端末（１）の向きを検出する加速度センサ（３６）と、省電力モードから通常電力モードへの復帰を制御する制御装置（２０）を備え、制御装置（２０）は、近接センサ（１４）によって近接状態であることが検出され、かつ、加速度センサ（３６）によって携帯情報端末（１）の向きが端末上部を鉛直下向きに向けた下向きであることが検出された場合は、通常電力モードへの復帰を指示する所定の動作がなされても復帰を抑止する。【選択図】図３
2015061299.tif 000002
【特許請求の範囲】
【請求項１】
必要な構成要素のみに電力を供給する省電力モードと、通常の電力供給を行う通常電力モードとを有する携帯情報端末であって、
当該携帯情報端末に物体が近接状態であることを検出する近接センサと、
当該携帯情報端末の向きを検出する向き検出センサと、
省電力モードから通常電力モードへの復帰を制御する復帰制御部と、を備え、
前記復帰制御部は、前記近接センサによって物体が近接状態であることが検出され、かつ、前記向き検出センサによって当該携帯情報端末の向きが端末上部を鉛直下向きに向けた下向きであることが検出された場合は、省電力モードから通常電力モードへの復帰を指示する所定の動作がなされても復帰を抑止することを特徴とする携帯情報端末。
【請求項２】
当該携帯情報端末に手が接触状態であることを検出するタッチセンサを有し、
前記復帰制御部は、前記タッチセンサの検出によって手が接触状態となったときに、省電力モードから通常電力モードへの復帰を指示する前記所定の動作がなされたと判定することを特徴とする請求項１に記載の携帯情報端末。
【請求項３】
前記タッチセンサは、当該携帯情報端末の筐体の両側面に設けられており、
前記復帰制御部は、両側面に設けられた前記タッチセンサの検出によって当該携帯情報端末に手が接触状態となり、かつ、当該携帯情報端末が手に把持された状態となったと判定したときに、省電力モードから通常電力モードへの復帰を指示する前記所定の動作がなされたと判定することを特徴とする請求項２に記載の携帯情報端末。
【請求項４】
必要な構成要素のみに電力を供給する省電力モードと、通常の電力供給を行う通常電力モードとを有する携帯情報端末であって、
当該携帯情報端末に物体が近接状態であることを検出する近接センサと、
当該携帯情報端末に手が接触状態であることを検出するタッチセンサと、
省電力モードから通常電力モードへの復帰を制御する復帰制御部と、を備え、
前記復帰制御部は、前記タッチセンサの検出によって手が接触状態となったときに、省電力モードから通常電力モードへの復帰を指示する複数ある所定の動作のうちの１つの動作がなされたと判定するが、該タッチセンサの検出に基づく所定の動作については、前記近接センサによって物体が近接状態であることが検出された場合は、所定の動作がなされても復帰を抑止することを特徴とする携帯情報端末。
【発明の詳細な説明】
【技術分野】
【０００１】
本発明は、携帯電話機やスマートフォンなどの携帯情報端末に関する。
【背景技術】
【０００２】
一般に、携帯電話機やスマートフォンなどの携帯情報端末では、その端末の機能を利用するためには予めシステムを起動しておく必要がある。しかしながら、全システムを予め起動しておくと電力の消耗が著しため、操作のない状態が所定時間経過するなどの条件で、省電力モードへ移行することが行われている。省電力モードでは、液晶表示パネルなどの電力消費の多いモジュールへの電力供給を全部あるいは一部を停止し、携帯情報端末の画面はオフ状態となる。
【０００３】
一方、このような省電力モードに移行した携帯情報端末において、何らかの処理を行うには通常電力モードに復帰させる、すなわち停止しているシステムを起動させる必要がある。復帰のための操作としては、電源スイッチなどのメカニカルスイッチを押下する操作がある。また、操作性を追求して、タッチパネルやキー操作部にタップ（タッチ）しただけで、復帰させるようにしたものもある。
【０００４】
しかしながら、携帯情報端末はその形状から鞄やポケットに入れて持ち運ばれる機会が多いため、タッチパネルやキー操作部にタップしただけで復帰させる構成とした場合、他のものと接触するなどして、ユーザが意図していないのに通常電力モードに復帰してしまい、思わぬ電力消費がなされる恐れがある。
【０００５】
このような不具合を解消するものとして、特許文献１には、光センサを用いて、タッチパネル（画面）がタップされたときに周囲が明るいときは通常電力モードに復帰し、鞄などに入れられて周囲が暗いときは、ユーザが意図的にタップしたのではないと判断して通常電力モードに復帰しない携帯情報端末が記載されている。
【０００６】
また、従来、携帯情報端末においては、筐体の側面などにタッチセンサを設けて、手が触れることでタッチセンサより出力される信号に基づいて、手で筐体をどのように保持しているかの情報を取得するものもある（例えば、特許文献２）。
【先行技術文献】
【特許文献】
【０００７】
【特許文献１】特開２００１−６９２３５号公報（２００１年３月１６日公開）
【特許文献２】特開２０１２−８３９７６号公報（２０１２年４月２６日公開）
【特許文献３】特開２００７−８０２１９号公報（２００７年３月２９日公開）
【特許文献４】特開２０１２−４９６８８号公報（２０１２年３月８日公開）
【発明の概要】
【発明が解決しようとする課題】
【０００８】
しかしながら、特許文献１の構成では、暗い環境下では、タッチパネルやキー操作部へタッチ操作しても通常電力モードに復帰させることができないので、暗い環境下における復帰時の操作性が、明るい環境下における復帰時の操作性よりも劣るといった問題がある。
【０００９】
本発明は、上記課題に鑑みなされたもので、その目的は、電力の浪費を防止しつつも、通常電力モードへの復帰が使用環境の明るさに関係なく良好に行える操作性に優れた携帯情報端末を提供することにある。
【課題を解決するための手段】
【００１０】
上記の課題を解決するために、本発明の一態様に係る携帯情報端末は、必要な構成要素のみに電力を供給する省電力モードと、通常の電力供給を行う通常電力モードとを有する携帯情報端末であって、当該携帯情報端末に物体が近接状態であることを検出する近接センサと、当該携帯情報端末の向きを検出する向き検出センサと、省電力モードから通常電力モードへの復帰を制御する復帰制御部と、を備え、前記復帰制御部は、前記近接センサによって物体が近接状態であることが検出され、かつ、前記向き検出センサによって当該携帯情報端末の向きが端末上部を鉛直下向きに向けた下向きであることが検出された場合は、省電力モードから通常電力モードへの復帰を指示する所定の動作がなされても復帰を抑止することを特徴としている。
【発明の効果】
【００１１】
本発明の一態様によれば、電力の浪費を防止しつつも、通常電力モードへの復帰が使用環境の明るさに関係なく良好に行える操作性に優れた携帯情報端末を提供することができるという効果を奏する。
【図面の簡単な説明】
【００１２】
【図１】本発明の実施形態に係る携帯情報端末の外観図である。
【図２】矩形状の外観を有する上記携帯情報端末の向きと、内蔵されている加速度センサが検出する３軸の関係を示す説明図である。
【図３】上記携帯情報端末において、近接センサと加速度センサとで検出可能な４種類の状況を示す説明図である。
【図４】上記携帯情報端末の要部構成を示すブロック図である。
【図５】上記携帯情報端末の誤動作防止部が実施する状態設定処理を示すフローチャートである。
【図６】上記携帯情報端末におけるタッチセンサからの入力にて通常電力モードへ復帰させる処理を示すフローチャートである。
【図７】本発明の他の実施形態に係る携帯情報端末の誤動作防止部が実施する状態設定処理を示すフローチャートである。
【図８】本発明の他の実施形態に係る携帯情報端末の外観図である。
【図９】上記他の実施形態に係る携帯情報端末における、電源スイッチの押下による通常電力モードへの復帰を示す説明図である。
【図１０】上記他の実施形態に係る携帯情報端末における、タッチセンサからの入力による通常電力モードへの復帰を示す説明図である。
【図１１】上記他の実施形態に係る携帯情報端末の要部構成を示すブロック図である。
【図１２】上記他の実施形態に係る携帯情報端末における通常電力モードへの復帰の制御に関する処理を示すフローチャートである。
【発明を実施するための形態】
【００１３】
〔実施形態１〕
以下、本発明の一実施形態について図１〜図６に基づいて説明すれば以下のとおりである。
【００１４】
図１は、本実施形態に係る携帯情報端末の外観図である。図１に示すように、本実施形態に係る携帯情報端末１は、片手で持てる程度の矩形状の筐体１０に全体がまとめられたいわゆるスマートフォンである。筐体１０の中央には、表示入力部１２が設けられている。
【００１５】
表示入力部１２は、タッチパネル機能を有する表示入力装置であって、画面に各種の情報を表示するとともに、画面より携帯情報端末１に対するユーザの指示入力を受け付けるユーザインタフェースである。表示入力部１２は、図示してはいないが、タッチパネル、表示パネルおよびバックライトが積層された構成であり、表示パネルには、液晶表示パネル（ＬＣＤ）や有機ＥＬディスプレイ（ＯＬＥＤ）などが用いられる。
【００１６】
筐体１０における長手方向一端部側であって、表示入力部１２の画面が位置する表（おもて）面側には、レシーバ１５と近接センサ１４が設けられている。矩形状の携帯情報端末１においては、レシーバ１５が設けられている長手方向一端部側が端末上部となり、表示入力部１２における縦長表示の基準ともなる。
【００１７】
近接センサ１４は、物体が当該近接センサ１４に近接状態であることを検出するものである。近接センサ１４は、レシーバ１５に耳が近接している状態を検出するために、従来の携帯情報端末においても搭載されている。本実施形態では、近接センサ１４の感知対象は人体に限らず、鞄やポケットの中に入れられた場合に近接すると想定される、布や鞄の中のものも感知する必要があり、近接状態にある物体全般を検出できる構成のものが搭載されている。
【００１８】
筐体１０おける長辺側の両側面には、一対のタッチセンサ１６が、当該携帯情報端末１がユーザに把持されたことを感知する把持センサとして設けられている。タッチセンサ１６は、当該タッチセンサ１６に手が触れている状態を検出するものである。タッチセンサ１６は、操作者の手が携帯情報端末１をどのように保持しているかを検出するなどの目的のために従来から携帯情報端末に搭載されている。
【００１９】
また、図１では記載されていないが、携帯情報端末１には、携帯情報端末１の向きを検出する加速度センサ（向き検出センサ）が搭載されている。このような加速度センサも、携帯情報端末１の向きに応じて表示入力部１２における表示の向きを切り替えるために、従来から携帯情報端末に搭載されている。なお、ここでは加速度センサを例示するが、向き検出センサとしては、ジャイロセンサや地磁気センサなどを用いることができる。
【００２０】
さらに、従来から携帯情報端末では、操作のない状態が所定時間経過するなどの条件が整うと、全システムが起動している通常電力モードから、必要な構成要素のみに電力を供給する省電力モードへと移行することが行われている。省電力モードでは、表示入力部１２への通電が停止され、画面がオフとなる。省電力モードへ移行した携帯情報端末に対して指示を入力するには、再び通常電力モードへと復帰させて、画面をオンさせる必要がある。
【００２１】
本実施形態に係る携帯情報端末１においては、省電力モード時に、ユーザが携帯情報端末１を把持するなどしてタッチセンサ１６が指などの接触を検出すると、復帰イベント発生と捉えて、通常電力モードへと復帰するよう構成されている。
【００２２】
これによれば、携帯情報端末にユーザが手を触れると、通常電力モードに復帰して画面がオンされるので、電源スイッチなどのメカニカルスイッチを押下して通常電力モードに復帰させる構成や画面をタップして復帰させる構成に比べて、一段と優れた操作性が得られる。
【００２３】
さらにこの場合、より好ましくは、一対のタッチセンサ１６の両方で指等の接触が検出されて、携帯情報端末１が手に把持された状態となったと判定できたときに、復帰イベント発生と捉えて、通常電力モードへと復帰するよう構成されていることである。
【００２４】
これによれば、手が誤って携帯情報端末１に接触した程度では復帰せず、携帯情報端末１を使用する目的でユーザが把持したタイミングで、通常電力モードに復帰して画面がオンされるので、電力消費をより一層抑えることができる。
【００２５】
しかしながら、タッチセンサ１６による検出だけで通常電力モードへの復帰を許可すると、携帯情報端末１を衣服や鞄のポケットに入れている場合に、ポケットの中に手を入れるだけで、ユーザが意図していないのに通常電力モードへと復帰（画面がオン）してまい、電力が無駄に消費されてしまう。そのため、このような無駄な電力消費を回避する技術が必要であるが、通常電力モードへの復帰の操作性が、使用環境の明るさによって異なることは避けなければならない。
【００２６】
このような課題に鑑み、本実施形態に係る携帯情報端末１においては、鞄や衣服のポケットに収容された携帯情報端末１の状態を検証して、近接センサ１４および加速度センサの各検出結果を用いて、携帯情報端末１が鞄や衣服のポケットに収容されているか否かを判定している。以下、図２、図３を用いて、具体的に説明する。
【００２７】
本願発明者は、携帯情報端末１の使用を再開する際、および携帯情報端末１を収容して持ち運ぶ際の、携帯情報端末１に対する人の手の動きを検証した。その結果、以下のことを見出し、以下のように定めるに至った。
（１）使用を再開する状況の一つに、一旦手から放していた携帯情報端末を持ち上げて把持（グリップ）する操作が行われることがわかった。そこで、携帯情報端末におけるグリップされていな状態からグリップされた状態への変化を、復帰イベントの１つと捉えて、復帰させる構成とした。
（２）使用を停止して持ち運ぶ際には、衣服のポケットに収容したり、鞄に入れる際も所定のポケットに収容したりして持ち運ばれることが多く、また、ポケットに収容する際には、グリップしている携帯情報端末をそのままポケットに入れるため、端末上部を下向きに収容することが多いことがわかった。そこで、携帯情報端末が下向きであり、近接センサにて物体が近接状態にある場合は、携帯情報端末がポケットに収容されていると判定して、携帯情報端末に対して、通常電力モードに復帰させる所定の操作が成されて復帰イベントが発生したとしてもそれを無効として、復帰を抑止することにした。
【００２８】
図２の（ａ）（ｂ）に、矩形状の外観を有する携帯情報端末１の向きと、内蔵されている加速度センサが検出する３軸の関係を示す。加速度センサの３軸のうち、ｙ軸が鉛直方向に平行で、ｘ軸、ｚ軸が、鉛直方向と直角をなす。携帯情報端末１が下向きであることは、端末上部を鉛直上向きに向けた上向きから、ｘ軸周りに１８０°（±２０°）、あるいは上向きからｚ軸周りに１８０°（±２０°）回転した状態として検出される。±２０°は、ｘ軸あるいはｚ軸周りに正確に１８０°回転していなくとも、携帯情報端末１が鉛直方下向きであると判断して問題のない許容範囲である。
【００２９】
図３の（ａ）〜（ｄ）に、近接センサ１４と加速度センサとで検出可能な４種類の状況を示す。（ａ）は、近接センサ１４に近接する物体は存在せず、携帯情報端末１も下向きでない場合である。通常の使用の状態であり、ユーザが携帯情報端末１をグリップしてタッチセンサ１６にて接触が検出されると、携帯情報端末１は通常電力モードに復帰する。
【００３０】
（ｂ）は、近接センサ１４に近接状態の物体は存在するが、携帯情報端末１が下向きでない場合である。通常の使用で、指が近接センサ１４を覆っていることが想定されるので、（ａ）と同様に、タッチセンサ１６にて接触が検出されると、通常電力モードに復帰する。
【００３１】
（ｃ）は、近接センサ１４に近接する物体は存在しないが、携帯情報端末１が下向きの場合である。通常の使用で、たまたま逆向きにグリップされただけ（直ぐに持ち直される）と想定されるので、（ａ）と同様に、タッチセンサ１６にて接触が検出されると、通常電力モードに復帰する。
【００３２】
（ｄ）は、近接センサ１４に近接する物体が存在し、かつ、携帯情報端末１も下向きの場合である。通常の使用の状態とは考えられず、ポケットなどに収容されていると想定されるので、タッチセンサ１６にて接触が検出されても、携帯情報端末１は通常電力モードに復帰しない。
【００３３】
次に、図４を用いて、通常電力モードへの復帰をこのように制御する携帯情報端末１の要部を説明する。図４は、上記携帯情報端末の要部構成を示すブロック図である。図４に示すように、携帯情報端末１は、前述した表示入力部１２、近接センサ１４、タッチセンサ１６、加速度センサ３６以外に、表示入力制御部３０および制御装置（復帰制御部）２０を備えている。
【００３４】
表示入力制御部３０は、表示入力部１２を制御するものであり、表示入力部１２の画面が操作されて指示が入力されるとこれを制御装置２０に伝達し、また、制御装置２０からの指示に応じた情報を表示入力部１２の画面に表示させる。
【００３５】
制御装置２０は、携帯情報端末１における各部を制御するものである。また、制御装置２０は、イベント制御処理部２２、誤動作抑止状態保持部２４、タッチ操作検出部２８および誤動作防止部２６を備える。
【００３６】
誤動作抑止状態保持部２４は、タッチセンサ１６から入力による通常電力モードへの復帰を許可するか抑止するかの状態を保持するものである。
【００３７】
誤動作防止部２６は、誤動作抑止状態保持部２４が保持する状態、つまり、タッチセンサ１６からの入力による通常電力モードへの復帰を許可するか抑止するかの状態を設定するものである。誤動作防止部２６は、誤動作抑止状態保持部２４に保持させる状態を設定するタイミングになると、状態設定処理を実行する。誤動作防止部２６は、タッチ操作検出部２８から、携帯情報端末１に手が触れられている状態から触れられていない状態へと変化したことが通知されると、誤動作抑止状態保持部２４に保持させる状態を設定するタイミングになったと判断する。
【００３８】
誤動作防止部２６には、近接センサ１４および加速度センサ３６から検出結果が入力される。誤動作防止部２６は、状態設定処理において、近接センサ１４からの入力値に基づいて、当該携帯情報端末１に物体が近接状態であるか否かを判定し、加速度センサ３６からの入力値に基づいて、当該携帯情報端末１の向きを計測して携帯情報端末１が下向きであるか否かを判定する。
【００３９】
誤動作防止部２６は、携帯情報端末１に物体が近接状態であって、かつ携帯情報端末１が下向きであると判定した場合、タッチセンサ１６からの入力による通常電力モードへの復帰を抑止する状態を、誤動作抑止状態保持部２４に保持する（設定する）。また、誤動作防止部２６は、携帯情報端末１に物体が近接状態であって、かつ携帯情報端末１が下向きであると判定した場合以外、つまり、少なくとも、携帯情報端末１に物体が近接状態でないと判定されるか、携帯情報端末１が下向きではないと判定されるかした場合は、誤動作抑止状態保持部２４に保持された入力による復帰を抑止する状態を解除して、タッチセンサ１６からの入力による通常電力モードへの復帰を許可する状態とする（設定する）。
【００４０】
タッチ操作検出部２８には、タッチセンサ１６から検出結果が入力される。タッチ操作検出部２８は、タッチセンサ１６からの入力値に基づいて、当該携帯情報端末１に手が触れている状態であるか否か、より好ましくはグリップされている状態であるか否かを判定する。
【００４１】
タッチ操作検出部２８は、タッチセンサ１６からの入力値に基づいて、手が触れていない状態から手が触れている状態への変化（より好ましい構成では、手が触れていない状態からグリップされた状態への変化）を検出すると、タッチイベント（復帰イベントの一つ）をイベント制御処理部２２に通知する。
【００４２】
また、タッチ操作検出部２８は、タッチセンサ１６からの入力値に基づいて、手が触れている状態から手が触れていない状態への変化（より好ましい構成では、グリップされている状態から手が触れていない状態への変化）を検出すると、誤動作防止部２６に、手が触れている状態から手が触れていない状態へと変化したことを通知する。
【００４３】
イベント制御処理部２２は、タッチ操作検出部２８からタッチイベントが通知されると、誤動作抑止状態保持部２４にアクセスして保持内容を取得し、復帰させる処理を抑止する状態が保持されている場合は、通常電力モードへ復帰を抑止し、復帰させる処理を許可する状態が保持されている場合は、通常電力モードへ復帰させる。
【００４４】
次に、図５、図６を用いて、携帯情報端末１における通常電力モードへの復帰の制御に関する処理を説明する。図５は、携帯情報端末１の誤動作防止部２６が実施する状態設定処理を示すフローチャートである。図６は、携帯情報端末１におけるタッチセンサ１６からの入力にて通常電力モードへ復帰させる処理を示すフローチャートである。
【００４５】
図５に示すように、携帯情報端末１における制御装置２０は、加速度センサ３６からの入力値に基づいて当該携帯情報端末１の傾きを計測する（Ｓ１）。制御装置２０の誤動作防止部２６は、計測した傾きより当該携帯情報端末１がｘ軸、あるいはｚ軸に対して１８０°（±２０°）回転しているか否かを判定する（Ｓ２）。ここで、回転していないと判定した場合、つまり、下向きでないと判定した場合は、タッチセンサ１６からの入力を許可する（入力による復帰を許可する）状態を、誤動作抑止状態保持部２４に保持する（Ｓ５）。
【００４６】
一方、Ｓ２にて、回転していると判定した場合、つまり、下向きであると判定した場合は、制御装置２０は、近接センサ１４からの入力値に基づいて当該携帯情報端末１に対する物体の近接状態を計測する（Ｓ３）。制御装置２０の誤動作防止部２６は、計測した近接状態より当該携帯情報端末１に対して物体が近接状態にあるか否かを判定する（Ｓ４）。ここで、近接状態にないと判定した場合は、Ｓ５に移行する。
【００４７】
一方、Ｓ４においても、近接状態にあると判定した場合は、制御装置２０の誤動作防止部２６は、タッチセンサ１６からの入力を抑止する（入力による復帰を抑止する）状態を、誤動作抑止状態保持部２４に保持する（Ｓ６）。
【００４８】
このようにして、誤動作抑止状態保持部２４に、許可あるいは抑止の状態が保持されている状態において、図６に示すように、制御装置２０のタッチ操作検出部２８は、タッチセンサ１６からの入力値に基づいてタッチイベントを取得する（Ｓ１１）。タッチ操作検出部２８は、取得したタッチイベントをイベント制御処理部２２に通知する。イベント制御処理部２２は、誤動作抑止状態保持部２４より復帰（画面オン）を抑止中か否かの情報を取得する（Ｓ１２）。
【００４９】
イベント制御処理部２２は、誤動作抑止状態保持部２４より取得した情報に基づいて、復帰（画面オン）を抑止中か否かを判定する（Ｓ１３）。ここで、抑止中ではないと判定した場合は、表示入力制御部３０に画面オンを要求する（Ｓ１４）。これにより、携帯情報端末１は通常電力モードに復帰する。一方、抑止中であると判定した場合は、表示入力制御部３０に画面オンを要求しない（Ｓ１５）。これにより、携帯情報端末１は省電力モードを保持する。
【００５０】
以上説明したように、本実施形態の携帯情報端末１によれば、携帯情報端末１を下向きけた状態での持ち運びを前提とはするもの、電力の浪費を防止しつつも、通常電力モードへの復帰が使用環境の明るさに関係なく良好に行える操作性に優れたものとなる。
【００５１】
なお、このようなタッチセンサ１６からの入力によって通常電力モードへの復帰を指示する構成は、例えば電源スイッチの押下することで通常電力モードへの復帰を指示する構成と組み合わせて用いてもよい。
【００５２】
〔実施形態２〕
本発明の他の実施形態について、図１、図７に基づいて説明すれば、以下のとおりである。なお、説明の便宜上、前記実施形態にて説明した部材と同じ機能を有する部材については、同じ符号を付記し、その説明を省略する。
【００５３】
本実施形態に係る携帯情報端末１’も、外観的には図１に示す実施形態１の携帯情報端末１と同じでる。両者の違いは、誤動作防止部２６が実施する状態設定処理の手順にある。図７は、図５に代わる、本実施形態に係る携帯情報端末１’の誤動作防止部２６が実施する状態設定処理を示すフローチャートである。
【００５４】
図７に示すように、携帯情報端末１’では、先に近接センサ１４からの入力値に基づいて当該携帯情報端末１’に対する物体の近接状態を計測して、物体が近接状態にあるか否かを判定する（Ｓ２１、２２）。そして、近接状態にあると判定した場合に、加速度センサ３６からの入力値に基づいて当該携帯情報端末１’の傾きを計測して、当該携帯情報端末１’がｘ軸、あるいはｚ軸に対して１８０°（±２０°）回転しているか否かを判定する（Ｓ２３、２４）。なお、Ｓ２５、Ｓ２６は、図５のＳ５、Ｓ６と同じである。
【００５５】
〔実施形態３〕
本発明の他の実施形態について、図８〜１２に基づいて説明すれば、以下のとおりである。なお、説明の便宜上、前記実施形態にて説明した部材と同じ機能を有する部材については、同じ符号を付記し、その説明を省略する。
【００５６】
図８は、本実施形態に係る携帯情報端末の外観図である。図８に示すように、本実施形態に係る携帯情報端末１００は、電源スイッチ１０１が、例えば筐体１０における端末上部の上面に設けられている。電源スイッチ１０１は、メカニカルスイッチであり、長押しすることで電源のオンオフを指示できる。また、電源スイッチ１０１は、省電力モード時に押下することで、省電力モードから通常電力モードへの復帰を指示できる。
【００５７】
そして、本実施形態に係る携帯情報端末１００においても、実施形態１，２の携帯情報端末１，１’と同様に、省電力モード時に、タッチセンサ１６が指などの接触を検出すると、通常電力モードへと復帰するよう構成されている。
【００５８】
但し、タッチセンサ１６からの入力による復帰については、電源スイッチ１０１が押下されたことによる復帰とは異なり、近接センサ１４によって携帯情報端末１００に対して物体が近接状態であることが検出された場合は、ユーザの意図した復帰ではないと判定して、復帰を抑止するようになっている。
【００５９】
つまり、図９に示すように、携帯情報端末１００では、省電力モード時に、電源スイッチ１０１が押下されると、近接センサ１４による検出に関係なく、通常電力モードに復帰（画面オン）する。これは、タッチセンサ１６とは異なり電源スイッチ１０１の場合は、その構造上、ユーザの意図に関係なく押下されるといった状況は発生し難いと考えられるためである。そこで、電源スイッチ１０１が押下された場合は、近接センサ１４による検出に関係なく、強制的に通常電力モードに復帰する構成としている。
【００６０】
これに対し、図１０に示すように、省電力モード時に、タッチセンサ１６に指などが触れたことを検出すると、近接センサ１４による検出を基に物体が近接状態であるか否かをさらに判断し、近接状態にない場合は、通常電力モードに復帰するが、近接状態にある場合は、通常電力モードへの復帰を抑止（画面オフ）する。これは、鞄やポケットに携帯情報端末１００を入れている場合、復帰の指示を意図するものではないタッチセンサ１６への接触が発生しやすいと考えられるためである。そこで、近接センサ１４による検出を基に物体が近接状態にある場合は、意図しない接触であると判定して、通常電力モードへの復帰を抑止する構成としている。
【００６１】
図１１は、上記携帯情報端末１００の要部構成を示すブロック図である。携帯情報端末１００においては、制御装置１２０が、誤動作防止部２６に換えて誤動作防止部１２６を備え、また、イベント制御処理部２２に換えてイベント制御処理部１２２を備えている。
【００６２】
誤動作防止部１２６には、近接センサ１４からの検出結果が入力され、誤動作防止部１２６は、近接センサ１４からの入力値に基づいて、当該携帯情報端末１００に物体が近接状態であるか否かを判定し、誤動作抑止状態保持部２４が保持する状態を設定する。
【００６３】
具体的には、誤動作防止部１２６は、携帯情報端末１００に物体が近接状態であると判定した場合は、タッチセンサ１６からの入力による通常電力モードへの復帰を抑止する状態を、誤動作抑止状態保持部２４に保持する（設定する）。また、誤動作防止部１２６は、携帯情報端末１００に物体が近接状態でないと判定した場合は、タッチセンサ１６からの入力による通常電力モードへの復帰を許可する状態を、誤動作抑止状態保持部２４に保持する（設定する）。
【００６４】
イベント制御処理部１２２には、タッチ操作検出部２８からの信号の他、電源スイッチ１０１からの信号も入力されており、タッチ操作検出部２８がタッチセンサ１６からの入力値に基づいてタッチイベントを取得するか、あるいは電源スイッチ１０１がオンされると、通常電力モードへの復帰指示がなされたと判断する。
【００６５】
また、イベント制御処理部１２２は、タッチイベントを取得した場合は、誤動作防止部１２６に、タッチセンサ１６からの入力により復帰指示であることを通知する。
【００６６】
図１２は、携帯情報端末１００における通常電力モードへの復帰の制御に関する処理を示すフローチャートである。図１２に示すように、制御装置１２０のイベント制御処理部１２２は、通常電力モードへの復帰指示がなされたと判断すると（Ｓ３１）、タッチセンサ１６からの入力に基づく復帰指示（画面オン）であるか否かを判定する（Ｓ３２）。イベント制御処理部１２２は、タッチセンサ１６からの入力に基づく復帰指示ではないと判定した場合は、Ｓ３５に移行する。一方、タッチセンサ１６からの入力に基づく復帰指示であると判定した場合は、Ｓ３３に進み、制御装置１２０は、近接センサ１４からの入力値に基づいて当該携帯情報端末１００に対する物体の近接状態を計測する（Ｓ３３）。制御装置１２０の誤動作防止部１２６は、計測した近接状態より当該携帯情報端末１００に対して物体が近接状態にあるか否かを判定する（Ｓ３４）。
【００６７】
Ｓ３４において、近接状態にないと判定した場合はＳ３５に進み、誤動作防止部１２６は、タッチセンサ１６からの入力を許可する（入力による復帰を許可する）状態を、誤動作抑止状態保持部２４に保持する。一方、Ｓ３４において、近接状態にあると判定した場合はＳ３６に進み、誤動作防止部１２６は、タッチセンサ１６からの入力を抑止する（入力による復帰を抑止する）状態を、誤動作抑止状態保持部２４に保持する。
【００６８】
このようにして誤動作抑止状態保持部２４に復帰指示時に適した状態が保持されると、イベント制御処理部１２２は、誤動作抑止状態保持部２４より復帰（画面オン）を抑止するか許可するかの情報を取得し（Ｓ３７）、抑止するか否を判定する（Ｓ３８）。Ｓ３８において、抑止しない（否）と判定した場合は、表示入力制御部３０に画面オンを要求する（Ｓ３９）。これにより、携帯情報端末１００は通常電力モードに復帰する。一方、Ｓ３８において、抑止すると判定した場合は、表示入力制御部３０に画面オンを要求しない（Ｓ４０）。これにより、携帯情報端末１００は省電力モードを保持する。
【００６９】
なお、本実施形態では、タッチセンサ１６からの入力による復帰においては、物体が近接状態にある場合は、通常電力モードへの復帰を抑止する構成としていたが、通常電力モードから省電力モードへ移行するタイミングを決める無操作期間を通常よりも短くして復帰する構成としてもよい。
【００７０】
つまり、携帯情報端末１００においては、操作のない状態が所定時間経過するなどの条件が整うと省電力モードへと移行する。省電力モードへの移行を決める操作のない期間（無操作期間）は、機器によって異なるものの、例えば、１５秒，３０秒，１分…と、ユーザによる設定が可能となっている。そこで、物体が近接状態にある場合は、誤入力による復帰指示である可能性が高いとして、通常よりも短い無操作期間を経ることで（例えば５秒後）、省電力モードへ移行するなどの条件で復帰させる構成としてもよい。
【００７１】
〔ソフトウェアによる実現例〕
携帯情報端末１，１’，１００の特に制御装置２０，１２０は、集積回路（ＩＣチップ）などに形成された論理回路（ハードウェア）によって実現してもよいし、ＣＰＵ（Central Processing Unit）を用いてソフトウェアによって実現してもよい。
【００７２】
後者の場合、携帯情報端末１，１’ ，１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波など）を介して上記コンピュータに供給されてもよい。なお、本発明は、上記プログラムが電子的な伝送によって具現化された、搬送波に埋め込まれたデータ信号の形態でも実現され得る。
【００７３】
〔まとめ〕
本発明の態様１に係る携帯情報端末は、必要な構成要素のみに電力を供給する省電力モードと、通常の電力供給を行う通常電力モードとを有する携帯情報端末であって、当該携帯情報端末に物体が近接状態であることを検出する近接センサと、当該携帯情報端末の向きを検出する向き検出センサと、省電力モードから通常電力モードへの復帰を制御する復帰制御部と、を備え、前記復帰制御部は、前記近接センサによって物体が近接状態であることが検出され、かつ、前記向き検出センサによって当該携帯情報端末の向きが端末上部を鉛直下向きに向けた下向きであることが検出された場合は、省電力モードから通常電力モードへの復帰を指示する所定の動作がなされても復帰を抑止することを特徴としている。
【００７４】
これによれば、携帯情報端末が下向きで携帯情報端末が鞄やポケットなどにいれられている状態が想定される場合だけ、通常電力モードへの復帰を指示する所定の動作がなされたとしても、これを無視するようになっている。
【００７５】
したがって、携帯情報端末を下向きけた状態での持ち運びを前提とはするものの、電力の浪費を防止しつつも、通常電力モードへの復帰が使用環境の明るさに関係なく良好に行える操作性に優れたものとなる。
【００７６】
本発明の態様２に係る携帯情報端末は、上記態様１において、さらに、当該携帯情報端末に手が接触状態であることを検出するタッチセンサを有し、前記復帰制御部は、前記タッチセンサの検出によって手が接触状態となったときに、省電力モードから通常電力モードへの復帰を指示する前記所定の動作がなされたと判定する構成とすることができる。
【００７７】
これによれば、携帯情報端末にユーザが手を触れると、通常電力モードに復帰して画面がオンされるので、電源スイッチなどのメカニカルスイッチを押下して通常電力モードに復帰させる構成や、画面をタップして復帰させる構成に比べて、一段と優れた操作性が得られる。
【００７８】
本発明の態様３に係る携帯情報端末は、上記態様２において、さらに、前記タッチセンサは、当該携帯情報端末の筐体の両側面に設けられており、前記復帰制御部は、両側面に設けられた前記タッチセンサの検出によって当該携帯情報端末に手が接触状態となり、かつ、当該携帯情報端末が手に把持された状態となったと判定したときに、省電力モードから通常電力モードへの復帰を指示する前記所定の動作がなされたと判定する構成としてもよい。
【００７９】
これによれば、手が誤って携帯情報端末に接触した程度では復帰せず、携帯情報端末を使用する目的でユーザが把持したタイミングで、通常電力モードに復帰して画面がオンされるので、電力消費をより一層抑えることができる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００８１】
本発明の態様４に係る携帯情報端末は、必要な構成要素のみに電力を供給する省電力モードと、通常の電力供給を行う通常電力モードとを有する携帯情報端末であって、当該携帯情報端末に物体が近接状態であることを検出する近接センサと、当該携帯情報端末に手が接触状態であることを検出するタッチセンサと、省電力モードから通常電力モードへの復帰を制御する復帰制御部と、を備え、前記復帰制御部は、前記タッチセンサの検出によって手が接触状態となったときに、省電力モードから通常電力モードへの復帰を指示する複数ある所定の動作のうちの１つの動作がなされたと判定するが、該タッチセンサの検出に基づく所定の動作については、前記近接センサによって物体が近接状態であることが検出された場合は、所定の動作がなされても復帰を抑止することを特徴としている。
【００８２】
これによれば、タッチセンサに手を接触させることで、通常電力モードへの復帰を指示できる便利な構成としながらも、携帯情報端末が鞄やポケットなどに入れられている状態が想定される場合は、タッチセンサに手を接触させることによる復帰が抑止される。
【００８３】
したがって、電力の浪費を防止しつつも、通常電力モードへの復帰が使用環境の明るさに関係なく良好に行える操作性に優れたものとなる。
【産業上の利用可能性】
【００８４】
本発明は、例えば、スマートフォンやタブレット端末、電子ブックリーダーなどの携帯情報端末に利用可能である。
【符号の説明】
【００８５】
１，１’，１００  携帯情報端末
１０  筐体
１２  表示入力部
１４  近接センサ
１６  タッチセンサ
２０，１２０  制御装置（復帰制御部）
２２，１２２  イベント制御処理部
２４  誤動作抑止状態保持部
２６，１２６  誤動作防止部
２８  タッチ操作検出部
３０  表示入力制御部
３６  加速度センサ（向き検出センサ）
【図１】
2015061299.tif 000003
【図２】
2015061299.tif 000004
【図３】
2015061299.tif 000005
【図４】
2015061299.tif 000006
【図５】
2015061299.tif 000007
【図６】
2015061299.tif 000008
【図７】
2015061299.tif 000009
【図８】
2015061299.tif 000010
【図９】
2015061299.tif 000011
【図１０】
2015061299.tif 000012
【図１１】
2015061299.tif 000013
【図１２】
2015061299.tif 000014